(57)【要約】【課題】窓、扉の大きさが小型なものから比較的大型のものまで対応でき、アルミなどの金属製サッシ、その他のサッシに対して煩雑な工事を必要とせず極めて簡単に設置が可能な防犯装置、および防犯方法を提供する。【解決手段】検出手段Ａが窓枠または扉枠１に発生しているキャパシタンスまたはインダクタンスの変化から窓枠または扉枠１への人体の接近を検出し、報知手段６が、人体の接近を検出すると、人体の接近を居住者に報知する。ここで、検出手段Ａを構成する発振手段４が、インダクタンスまたはキャパシタンスを決定要素としている発振周波数により発振し、検出手段Ａを構成する検知手段５が、発振周波数を監視して人体の接近を検知する。【選択図】      図１
2004206373.tif 000002
【特許請求の範囲】
【請求項１】
窓枠または扉枠への人体の接近を検出する防犯装置であって、
前記窓枠または扉枠に発生しているキャパシタンスまたはインダクタンスの変化から前記窓枠または扉枠への人体の接近を検出する検出手段と、
前記検出手段により前記人体の接近を検出すると、該人体の接近を居住者に報知する報知手段と、
を有することを特徴とする防犯装置。
【請求項２】
前記窓枠または扉枠の既存のネジ穴に、一端が前記検出手段に接続されるセンシングケーブルの他端を、ネジにて共締めされることを特徴とする請求項１記載の防犯装置。
【請求項３】
接地として利用する窓枠または扉枠に固定され、該窓枠または扉枠と電気的に接続された人体を検知するための防犯装置であって、
前記人体を検知するためのアンテナ部を含み、前記アンテナ部に発生しているインダクタンスまたはキャパシタンスの変化から前記人体の接近を検出する検出手段と、
前記検出手段により前記人体の接近を検出すると、該人体の接近を居住者に報知する報知手段と、
を有することを特徴とする防犯装置。
【請求項４】
前記窓枠または扉枠に、導電性両面テープにより固定されることを特徴とする請求項３記載の防犯装置。
【請求項５】
前記窓枠または扉枠のネジ穴に対応した固定用のネジ穴をさらに有し、
前記窓枠または扉枠のネジ穴に、前記固定用のネジ穴を噛ましてネジ止めされることを特徴とする請求項３記載の防犯装置。
【請求項６】
前記検出手段は、
前記インダクタンスまたはキャパシタンスを決定要素としている発振周波数により発振する発振手段と、
前記発振手段により発振される発振周波数を監視して前記人体の接近を検知する検知手段と、
を含むことを特徴とする請求項１から５のいずれか１項に記載の防犯装置。
【請求項７】
窓枠または扉枠への人体の接近を検出する防犯装置による防犯方法であって、
前記窓枠または扉枠に発生しているインダクタンスまたはキャパシタンスの変化から前記窓枠または扉枠への人体の接近を検出し、
前記人体の接近を検出すると、該人体の接近を居住者に報知することを特徴とする防犯方法。
【発明の詳細な説明】
【０００１】
【発明の属する技術分野】
本発明は、窓や扉に接近した人物を検知する防犯装置、および防犯方法に関する。
【０００２】
【従来の技術】
従来、窓や扉に接近した人物を検知して警報する防犯装置として、図１０に示すようなものが開示されている。図１０に示す従来の防犯装置について概説すると、人体検知センサである赤外線アクティブセンサ２０から赤外線を放出し、反射板２１によって反射された赤外線を受信する。不審者２２が赤外線アクティブセンサ２０の前を通過すると、放出された赤外線が不審者２２にあたり散乱するため、赤外線アクティブセンサ２０は、一時的に赤外線を受信できなくなる。すると、赤外線アクティブセンサ２０は、マイコン２３に対して、不審者検知出力パルス２４を発生させる。不審者検知出力パルス２４を受信したマイコン２３は、リレー装置２５で制御を行って、それに接続されているランプ２６を点灯させる。また、マイコン２３は、ドライバ装置２７で制御を行って、それに接続されているスピーカー２８から音を出力させる（特許文献１参照）。
【０００３】
また、防犯センサ付き外溝塀も開示されている。当該外溝塀は、中空スペースに静電容量の変化を捉えて侵入者を検知する電界式センサの検知ラインを設ける。侵入者が接近すると、静電容量が変化して検知ラインに誘起電圧が発生して、これが検知信号として制御ユニットに送られ、予め設定された信号強度と比較されて侵入者の接近が検知される（特許文献２参照）。
【０００４】
また、ドアの内側ノブ等の錠設置部分に取り付けられる防犯装置も開示されている。当該防犯装置の外部キャパシタンス変化用のアンテナを設け、当該アンテナのキャパシタンス変化をキャパシタンス変化検出回路に検出し、それを制御回路に出力することにより人の接近を検知する（特許文献３参照）。
【０００５】
【特許文献１】
特開平０７−１６０９５４号公報  （第３−４頁、第１図）
【特許文献２】
特開平０９−２３７３８９号公報  （段落番号００１２〜００２４、第１図）
【特許文献３】
特開２００１−１７５９５６号公報  （段落番号０００５〜００２４、第１図）
【０００６】
【発明が解決しようとする課題】
しかしながら、上記特許文献１は、人体以外の物でもある程度の大きさがあれば感知してしまう可能性がある。また、設置に際して設置箇所の前に十分なスペースが必要になり、設置方法も複雑で位置合わせが困難である。さらに、検出エリアが限られるため、大型のサッシなどには複数の設置が必要になるといった問題点がある。
【０００７】
また、上記特許文献２は、キャパシタンスの変化を検知するために、電界式センサの検知ラインを支柱に絶縁状態で貫通させて設置しなければならず、設置方法が複雑である。また、ノイズ等の影響を受けやすく動作が安定しないといった問題点がある。
【０００８】
また、上記特許文献３は、検出用のアンテナを設けなければならず、アンテナが侵入者に目立ちやすく、設置コストも増大する。また、ノイズ等の影響を受けやすく動作が安定しないといった問題点がある。
【０００９】
本発明は、上記問題点に鑑みなされたものであり、窓、扉の大きさが小型なものから比較的大型のものまで対応でき、アルミなどの金属製サッシ、その他のサッシに対して煩雑な工事を必要とせず極めて簡単に設置が可能な防犯装置、および防犯方法を提供することを目的とする。
【００１０】
また、本発明は、サッシをアースにすることにより安定性を向上させた防犯装置、および防犯方法を提供することを目的とする。
【００１１】
【課題を解決するための手段】
かかる目的を達成するために、請求項１記載の発明は、図１の基本構成図に示すように窓枠または扉枠１への人体の接近を検出する防犯装置１００であって、前記窓枠または扉枠１に発生しているキャパシタンスまたはインダクタンスの変化から前記窓枠または扉枠１への人体の接近を検出する検出手段Ａと、前記検出手段Ａにより前記人体の接近を検出すると、該人体の接近を居住者に報知する報知手段６と、を有することを特徴としている。
【００１２】
したがって、請求項１記載の発明によれば、検出手段Ａが窓枠または扉枠１に発生しているキャパシタンスまたはインダクタンスの変化から窓枠または扉枠１への人体の接近を検出し、報知手段６が、人体の接近を検出すると、人体の接近を居住者に報知することにより、小型なものから比較的大型のものまでを含む既存の窓枠または扉枠１を利用することができ、設置も極めて簡単な防犯装置を実現することができる。また、住居内部に設置することができるため、侵入者にも目立ちにくい。
【００１３】
請求項２記載の発明は、請求項１記載の発明において、前記窓枠または扉枠１の既存のネジ穴に、一端が前記検出手段Ａに接続されるセンシングケーブル３の他端を、ネジにて共締めされることを特徴としている。
【００１４】
したがって、請求項２記載の発明によれば、窓枠または扉枠１の既存のネジ穴に、一端が検出手段Ａに接続されるセンシングケーブル３の他端を、ネジにて共締めされることにより、既存の窓枠または扉枠１のネジ穴、およびネジにより、極めて簡単に防犯装置１００を既存の窓枠または扉枠１に接続することができる。
【００１５】
請求項３記載の発明は、図１の基本構成図に示すように、接地として利用する窓枠または扉枠１に固定され、該窓枠または扉枠１と電気的に接続された人体を検知するための防犯装置１００であって、前記人体を検知するためのアンテナ部を含み、前記アンテナ部に発生しているインダクタンスまたはキャパシタンスの変化から前記人体の接近を検出する検出手段Ａと、前記検出手段Ａにより前記人体の接近を検出すると、該人体の接近を居住者に報知する報知手段６と、を有することを特徴としている。
【００１６】
したがって、請求項３記載の発明によれば、接地として利用する窓枠または扉枠１に固定され、窓枠または扉枠１と電気的に接続された防犯装置１００は、検出手段Ａにより人体を検知するためのアンテナ部に発生しているインダクタンスまたはキャパシタンスの変化から人体の接近を検出し、報知手段６により人体の接近を居住者に報知することにより、窓枠または扉枠１を接地として利用でき、検出動作の安定性を向上させることができる。
【００１７】
請求項４記載の発明は、請求項３記載の発明において、前記窓枠または扉枠１に、導電性両面テープ１０２により固定されることを特徴としている。
【００１８】
したがって、請求項４記載の発明によれば、窓枠または扉枠１に、導電性両面テープ１０２により防犯装置１００を固定することにより、窓枠または扉枠１に電気的に接続しながら固定することができる。
【００１９】
請求項５記載の発明は、請求項３記載の発明において、前記窓枠または扉枠１のネジ穴に対応した固定用のネジ穴１０３をさらに有し、前記窓枠または扉枠１のネジ穴に、前記固定用のネジ穴１０３を噛ましてネジ止めされることを特徴としている。
【００２０】
したがって、請求項５記載の発明によれば、窓枠または扉枠１のネジ穴に、固定用のネジ穴１０３を噛ましてネジ止めして防犯装置１００を固定することにより、窓枠または扉枠１に電気的に接続しながら固定することができる。
【００２１】
請求項６記載の発明は、請求項１から５のいずれか１項に記載の発明において、図１の基本構成図に示すように、前記検出手段Ａは、前記インダクタンスまたはキャパシタンスを決定要素としている発振周波数により発振する発振手段４と、前記発振手段４により発振される発振周波数を監視して前記人体の接近を検知する検知手段５と、を含むことを特徴としている。
【００２２】
したがって、請求項６記載の発明によれば、検出手段Ａを構成する発振手段４が、インダクタンスまたはキャパシタンスを決定要素としている発振周波数により発振し、検出手段Ａを構成する検知手段５が、発振周波数を監視して人体の接近を検知することにより、簡易な構成で人体を検出することができる。
【００２３】
請求項７記載の発明は、窓枠または扉枠１への人体の接近を検出する防犯装置１００による防犯方法であって、前記窓枠または扉枠１に発生しているインダクタンスまたはキャパシタンスの変化から前記窓枠または扉枠１への人体の接近を検出し、前記人体の接近を検出すると、該人体の接近を居住者に報知することを特徴としている。
【００２４】
したがって、請求項７記載の発明によれば、小型なものから比較的大型のものまでを含む窓枠または扉枠１を利用した防犯方法を実現することができる。
【００２５】
【発明の実施の形態】
以下、本発明の実施形態を添付図面を参照しながら詳細に説明する。
図２は、第１の実施形態における防犯装置１００の構成を示すブロック図である。図２に示す防犯装置１００は、自励式発振回路４ａ、発振周波数監視回路５ａ、異常判定回路５ｂ、警報手段６ａ、および表示手段６ｂを備える。警報手段６ａ、および表示手段６ｂは、どちらか一方でもよい。
【００２６】
窓枠／扉枠等１には、センシングケーブル３の固定用のスクリューネジ穴が設けられており、当該ネジ穴に固定用スクリューネジ２によりセンシングケーブル３が共締めされる。したがって、窓枠／扉枠等１はループアンテナのような状態になる。センシングケーブル３の他端は、自励式発振回路４ａに接続されている。固定用スクリューネジ２、およびスクリューネジ穴は、アルミ等の金属製サッシ・扉の既存のものを利用することができる。取り付け場所が窓枠／扉枠等１であり、窓・扉等でないため、開閉状態に関わらず人体接近の検知が可能である。また、取り付け場所が可動側でないため、電池式を採用する必要もない。通常の家庭用ＡＣ電源を利用すればよい。
【００２７】
自励式発振回路４ａは、例えば、コイルＬ、コンデンサＣを接続したＬＣ発振回路であり、発振周波数がインダクタンス（Ｌ）とキャパシタンス（Ｃ）とにより決定されるため、インダクタンスまたはキャパシタンスの変化により発振周波数が変化する。図２に示すように、センシングケーブル３により接続されている窓枠／扉枠等１に、誘電体である人体が接近するとキャパシタンスまたはインダクタンスの変化が得られる。
【００２８】
図３は、本発明の実施形態におけるアルミサッシの接近時特性を示す図である。図３は、比較的小型のサッシでガラス面を０［ｍｍ］として体重６０［ｋｇ］の人間が接近したときのキャパシタンス変化を示している。横軸にガラス面までの距離［ｃｍ］、縦軸にキャパシタンス［ｐＦ］をとっている。
【００２９】
自励式発振回路４ａは、インダクタンスまたはキャパシタンスの変化により決定されるリアクタンスの変化を発振周波数決定要素に用いることで、人体の接近時に発振周波数の変化を得る。
【００３０】
発振周波数監視回路５ａは、自励式発振回路４ａにより発振される信号の発振周波数を電圧信号等に変換（Ｆ／Ｖ変換）する。発振周波数監視回路５ａは、広帯域の周波数に対応するためにアジャスト機能を備える。またはオートチューニングさせる機能を備える。アジャスト機能を備えれば、自励式発振回路４ａの対応できる範囲において、窓・扉等の大きさが小型のものから比較的大型のものまで対応することができる。
【００３１】
異常判定回路５ｂは、発振周波数回路５ａにより変換された電圧信号と、所定のしきい電圧とを比較し、一定のレベルを超えるまたは下回る信号に対して、異常と判定する。しきい電圧は、雨滴、小動物等を考慮して決定する。誤認識を可及的に防止するためである。異常判定回路５ｂは、異常を検知すると警報手段６ａ、および／または表示手段６ｂに異常発生信号を出力する。
【００３２】
警報手段６ａは、異常判定回路５ｂから異常発生信号を受けると、ブザー音を出力するか、または音声合成により不審者が接近した旨をアナウンスする。表示手段６ｂは、異常判定回路５ｂから異常発生信号を受けると、例えばランプを点灯させて不審者が接近した旨を居住者に伝える。
【００３３】
（第２の実施形態）
次に、第２の実施形態について説明する。図４は、第２の実施形態における防犯装置１００の構成を示すブロック図である。当該防犯装置１００は、電圧制御発振器（ＶＣＯ）４ｂ、基準周波数発振回路４ｃ、ＰＬＬ（Phase Locked Loop）回路４ｄ、制御用マイコン５ｃ、警報手段６ａ、および表示手段６ｂを備える。警報手段６ａ、および表示手段６ｂは、どちらか一方でもよい。
【００３４】
電圧制御発振器４ｂは、制御用の電圧７により発振周波数８が制御される発振器である。図４に示すように、窓枠／扉枠等１は、固定用スクリューネジ２によりセンシングケーブル３が共締めされており、センシングケーブル３の他端が電圧制御発振器４ｂに接続されているため、ループアンテナのような状態になる。したがって、窓枠／扉枠等１に、誘電体である人体が接近するとキャパシタンスまたはインダクタンスの変化が得られる（図３参照）。電圧制御発振器４ｂは、インダクタンスまたはキャパシタンスの変化により決定されるリアクタンスの変化を発振周波数決定要素に用いることで、人体の接近時に発振周波数の変化を得る。
【００３５】
基準周波数発振回路４ｃは、例えば水晶発振器等の安定度の高い発振器である。ＰＬＬ回路４ｄは、電圧制御発振器４ｂからの帰還信号として入力される発振周波数８と、基準周波数発振回路４ｂが発振する基準周波数とを比較する。比較の結果、差がある場合に、その差に見合う分の電圧７を電圧制御発振器４ｂに出力する。即ち、電圧制御発振器４ｂの発振周波数８が基準周波数より高い場合には、電圧制御発振器４ｂに周波数を下げるような電圧７を出力し、電圧制御発振器４ｂの発振周波数８が基準周波数より低い場合には、電圧制御発振器４ｂに周波数を上げるような電圧を出力する。
【００３６】
本実施形態においては、ＰＬＬ回路４ｄは、窓枠／扉枠等１への人体接近等により電圧制御発振器４ｂの発振周波数８が変動すると、ロックが外れ電圧制御発振器４ｂへ元の周波数に戻すように制御を行う。一般的なＰＬＬ回路にはこのロックの有無を出力する端子が備えられているため、ＰＬＬ回路４ｄは、例えば、ロックのとき”Ｌ”信号９、アンロックのとき”Ｈ”信号９を上記端子から制御用マイコン５ｃに出力する。これにより、人体の接近の有無を検知することができる。
【００３７】
または、ＰＬＬ回路４ｄがロックの有無を直接制御用マイコン５ｃに出力せずに、以下の手法を用いてもよい。ＰＬＬ回路４ｄは、電圧制御発振器４ｂを制御する電圧７を電圧制御発振器４ｂを介して信号１０として制御用マイコン５ｃのＡ／Ｄ入力端子に出力する。これによっても、人体の接近の有無を検知することができる。この場合、制御用マイコン５ｃは、ＰＬＬ回路４ｄが電圧制御発振器４ｂに対してどの程度の制御を行っているかも認識することができるため、接近してきた人体までの距離などを検出することも可能である。
【００３８】
制御用マイコン５ｃは、信号９または信号１０を受信して異常を検知すると、警報手段６ａ、および／または表示手段６ｂに異常発生信号を出力する。また、制御用マイコン５ｃは、ＰＬＬ回路４ｄの基準周波数制御を信号１１により行う。即ち、窓枠／扉枠等１の大きさや形状による個体差による最適周波数を自動的にチューニングすることができる。
【００３９】
警報手段６ａは、制御用マイコン５ｃから異常発生信号を受けると、ブザー音を出力するか、または音声合成により不審者が接近した旨をアナウンスする。表示手段６ｂは、制御用マイコン５ｃから異常発生信号を受けると、例えばランプを点灯させて不審者が接近した旨を居住者に伝える。
【００４０】
図５は、本発明の第２の実施形態における電圧制御発振器の内部構成の一例を示す回路図である。図５に示す発振回路は、コルピッツ発振回路である。コルピッツ発振回路は、トランジスタＴＲ１のコレクタ電圧をコンデンサＣ３、およびＣ４で分圧し、エミッタに帰還することで発振動作をさせる回路である。コンデンサＣ３、およびコンデンサＣ４は、コルピッツ回路の分圧用コンデンサである。
【００４１】
コンデンサＣ５、バリキャップダイオードＤ１およびバリキャップダイオードＤ２のコンデンサ成分で発振周波数１３を変化させる。バリキャップダイオードＤ１およびバリキャップダイオードＤ２は、逆方向電圧が印加されるとダイオード自体の容量（キャパシタンス）が変化する。逆方向電圧が高くなると、容量は小さくなる。調整の幅を広げるためにダイオードを２つ使用している。ＰＬＬ回路１４から出力される電圧１４は、抵抗Ｒ４、抵抗Ｒ５、抵抗Ｒ６およびコンデンサＣ６によるフィルタを通して直流の電圧変化に変換される。
【００４２】
コルピッツ発振回路は、バリキャップダイオードＤ１、Ｄ２が発振周波数決定要素として用いられることでＰＬＬ回路４ｄからの電圧７によって発振周波数８を制御可能にしている。つまり、ＰＬＬ回路４ｄは、制御用マイコン５ｃにより決定された値と基準周波数発振回路４ｃが発振する基準周波数とを基準に電圧制御発振器４ｂを安定発振させている。
【００４３】
一例として、窓枠／扉枠等１に接続されているセンシングケーブル３を、経路・接続点１２または経路・接続点１３のように接続する。センシングケーブル３は、窓枠／扉枠等１に接続されているため、回路のＧＮＤパターンと窓枠／扉枠等１との間に発生するキャパシタンスやインダクタンスの検出に利用している。窓枠／扉枠等１に人体が接近するとコルピッツ発振回路の定数に変化が起こり発振周波数８が変動する。ＰＬＬ回路４ｄは、発振周波数８が変動することでロック信号が解除されると共に、元の発振周波数８に戻すように電圧７を制御する。そのため、制御用マイコン５ｃに入力される信号９または信号１０も変化する。これにより、人体接近の検出が可能となる。
【００４４】
（第３の実施形態）
次に、第３の実施形態について説明する。まず、第３の実施形態における防犯装置１００の取り付け場所について説明する。図６は、第３の実施形態における防犯装置１００の設置場所を示す図である。図６に示すように、防犯装置１００は、室内側のサッシ面のいずれか一箇所に設置される。
【００４５】
図７は、第３の実施形態における防犯装置１００の取り付け方法を示す図である。図７（ａ）に示すように、防犯装置１００は、導電性両面テープ１０２によりサッシ面に取り付けられる。または、防犯装置１００は、図７（ｂ）に示すようなスクリューネジ固定端子穴１０３からサッシ面のスクリューネジ固定端子穴を貫通するようにスクリューネジで取り付けられる。導電性両面テープ１０２やスクリューネジ固定端子穴１０３は、防犯装置１００の内部にある回路のアースラインと接続されており、サッシに防犯装置１００を固定することでサッシをアースにする仕組みになっている。
【００４６】
図８は、第３の実施形態における防犯装置１００の構成を示すブロック図である。当該防犯装置１００は、電圧制御発振器４ｂ、基準周波数発振回路４ｃ、ＰＬＬ回路４ｄ、制御用マイコン５ｃ、警報手段６ａ、および表示手段６ｂを備える。警報手段６ａ、および表示手段６ｂは、どちらか一方でもよい。
【００４７】
本実施形態は、第１、２の実施形態と異なり窓枠／扉枠等１をアンテナとして利用しているのではなく、アースとして利用している。アンテナは、防犯装置１００側が備える。本実施形態における防犯装置１００は、第２の実施形態における防犯装置１００の回路構成と基本的に同一であるが、電圧制御発振器４ｂがセンシングケーブル３によりキャパシタンスやインダクタンスの変化を検出しているのではない点が異なる。
【００４８】
図９は、本発明の第３の実施形態における電圧制御発振器４ｂの内部構成の一例を示す回路図である。図９に示すコルピッツ発振回路は、図５に示した第２の実施形態におけるコルピッツ発振回路と基本的に同一であるが、センシングケーブル３が接続されない点が異なる。センシングケーブル３の代わりに、アンテナＬ２またはアンテナＬ３等がアンテナ部として取り付けられる。実際の回路では基板上にアンテナパターンを形成してもよい。
【００４９】
窓枠／扉枠等１に人体が接近すると、アンテナ部と窓枠／扉枠等１との間に形成されるキャパシタンスまたはインダクタンスに変化が生じ、コルピッツ発振回路の定数が変化するため発振周波数が変動する。ＰＬＬ回路４ｄは、発振周波数８が変動することでロック信号が解除されると共に、元の発振周波数８に戻すように制御用電圧７を制御する。そのため、制御用マイコン５ｃに入力される信号９または信号１０も変化する。これにより、人体接近の検出が可能となる。
【００５０】
なお、上述した実施形態は、本発明の好適な実施形態の一例を示したものであり、本発明はそれに限定されることなく、その要旨を逸脱しない範囲内において種々変形実施が可能である。
【００５１】
例えば、本発明は、アルミサッシ、金属製サッシまたは木製サッシなどの枠に金属製のシートなどを貼り付けたもの、金属枠を有する扉または枠に金属製のシートなどを貼り付けたもの、自動車の車体等に適用可能である。
【００５２】
【発明の効果】
以上の説明から明らかなように、請求項１記載の発明によれば、検出手段が窓枠または扉枠に発生しているキャパシタンスまたはインダクタンスの変化から窓枠または扉枠への人体の接近を検出し、報知手段が、人体の接近を検出すると、人体の接近を居住者に報知することにより、小型なものから比較的大型のものまでを含む既存の窓枠または扉枠を利用することができ、設置も極めて簡単な防犯装置を実現することができる。また、住居内部に設置することができるため、侵入者にも目立ちにくい。
【００５３】
請求項２記載の発明によれば、請求項１記載の発明の効果に加えて、窓枠または扉枠の既存のネジ穴に、一端が検出手段に接続されるセンシングケーブルの他端を、ネジにて共締めされることにより、既存の窓枠または扉枠のネジ穴、およびネジにより、極めて簡単に防犯装置を既存の窓枠または扉枠に接続することができる。
【００５４】
請求項３記載の発明によれば、接地として利用する窓枠または扉枠に固定され、窓枠または扉枠と電気的に接続された防犯装置は、検出手段により人体を検知するためのアンテナ部に発生しているインダクタンスまたはキャパシタンスの変化から人体の接近を検出し、報知手段により人体の接近を居住者に報知することにより、窓枠または扉枠を接地として利用でき、検出動作の安定性を向上させることができる。
【００５５】
請求項４記載の発明によれば、請求項３記載の発明の効果に加えて、窓枠または扉枠に、導電性両面テープにより防犯装置を固定することにより、窓枠または扉枠に電気的に接続しながら固定することができる。
【００５６】
請求項５記載の発明によれば、請求項３記載の発明の効果に加えて、窓枠または扉枠のネジ穴に、固定用のネジ穴を噛ましてネジ止めして防犯装置を固定することにより、窓枠または扉枠に電気的に接続しながら固定することができる。
【００５７】
請求項６記載の発明によれば、請求項１から５のいずれか１項に記載の発明の効果に加えて、検出手段を構成する発振手段が、インダクタンスまたはキャパシタンスを決定要素としている発振周波数により発振し、検出手段を構成する検知手段が、発振周波数を監視して人体の接近を検知することにより、簡易な構成で人体を検出することができる。
【００５８】
したがって、請求項７記載の発明によれば、小型なものから比較的大型のものまでを含む窓枠または扉枠を利用した防犯方法を実現することができる。
【図面の簡単な説明】
【図１】本発明の防犯装置１００の基本構成図である。
【図２】本発明の第１の実施形態における防犯装置１００の構成を示すブロック図である。
【図３】本発明の実施形態におけるアルミサッシの接近時特性を示す図である。
【図４】本発明の第２の実施形態における防犯装置１００の構成を示すブロック図である。
【図５】本発明の第２の実施形態における電圧制御発振器４ｂの内部構成の一例を示す回路図である。
【図６】本発明の第３の実施形態における防犯装置１００の設置場所を示す図である。
【図７】本発明の第３の実施形態における防犯装置１００の取り付け方法を示す図である。
【図８】本発明の第３の実施形態における防犯装置１００の構成を示すブロック図である。
【図９】本発明の第３の実施形態における電圧制御発振器４ｂの内部構成の一例を示す回路図である。
【図１０】従来技術における防犯装置の概略構成を示すブロック図である。
【符号の説明】
１  窓枠／扉枠等（サッシ）
２  スクリューネジ
３  センシングケーブル
４  発振手段
Ａ  検出手段
５  検知手段
６  報知手段
１００  防犯装置
１０２  導電性両面テープ
１０３  スクリューネジ固定端子穴
【図１】
2004206373.tif 000003
【図２】
2004206373.tif 000004
【図３】
2004206373.tif 000005
【図４】
2004206373.tif 000006
【図５】
2004206373.tif 000007
【図６】
2004206373.tif 000008
【図７】
2004206373.tif 000009
【図８】
2004206373.tif 000010
【図９】
2004206373.tif 000011
【図１０】
2004206373.tif 000012